Podtech/llm-jp-corpus-v4-ja_patent huggingface dataset:
(57)【要約】　　　（修正有）【課題】其々独立して分けられる上缶及び下缶からなるために２種類違った調味料を別々に上、下の缶の中に詰め込むことができる一種の調味料入れの構造を提供する。【解決手段】上、下の缶を組み合わせると動物の造形になって外観と機能性を兼ねてあり、またその上缶は動物の頭部の造形に設計されて、下缶は動物の胴体の造形に設計されて、且下缶の頂きにおいて円弧の窪み溝を設けて上缶の底部を納めるようになり、且従来見られた調味料入れと違った構造を以って精緻で簡略でなく、優雅で俗っぽくないデザインを創り出し、新しいスタイルを与えるものである。【選択図】　　　　図３
0003097336.tif 000002
【実用新案登録請求の範囲】
【請求項１】
其々独立した一つの上缶及び一つの下缶から成り、
上缶の頂きに小さい孔が設けてあり、該小さい孔から調味料が振り出せて、
該上缶の底部に充填孔が設けてあり、且該充填孔は蓋によって密接に合わせられ；
その下缶の頂きは円弧の窪み溝に形成し、該窪み溝に上缶の底部を納めることができ、
該円弧の窪み溝の底部に複数の貫通孔が設けあり、調味料が貫通孔から振り出せて、
下缶の底部に充填孔が設けてあり、且該充填孔に蓋を組み合わせるために調味料を缶の底から詰め込むことができる、
以上の構造を特徴とする、動物造形になった調味料入れの構造。
【考案の詳細な説明】
【０００１】
【考案の属する技術分野】
当考案は一種の調味料入れの構造であり、それは調味料入れを動物の造型に造って、且動物の造型に造った調味料入れを独立して分けるように上缶及び下缶に設計して、両の缶を組み合わせると一つの精緻でかわいい動物の外形になるために２種違った調味料を別々に上、下の缶の中に詰め込むことができる。
【０００２】
【従来の技術】
目下市販されている調味料入れの構造は殆ど透明な瓶を採用して単一の缶との包装形態で販売されているために意匠もなければ造型もない。業者によって開発された組合せのできる調味料入れがあるが、例えば前の特許を取った公告３５５９９９号「組合せ式調味料容器の改良構造」のようなもので、該当考案は複数の容器ケース及び一つの上蓋を繋いで柱状になって、容器ケースの頂きの外周において上蓋とねじ合わせるために雄螺旋が収束してあり、容器ケースの底端の内周には他の容器ケースと繋いでねじ合わせるために上蓋とおなじような雌螺旋が設けてあり、その特徴とは容器ケースの内周に皆一つの篩蓋が設けてあり、その篩蓋の頂き部の外周にリング縁が突出して設けてあるために篩蓋が容器ケースの頂き部に被せて落ちることはないし、且底面に複数の貫通孔が設けてあるものである。
【０００３】
前述した調味料入れは組合せ式の構造になっているが、唯、その欠点とは各容器ケースが皆ねじ合わせる方法で繋いでいるために使う時、其々の容器ケースを廻して開けないとならないのでかなり不便であり；且調味料が内外の螺旋の個所に付きやすくなるためにねじ合わせる順調さ及び清潔にする時不便になることを齎す。
【０００４】
そこで従来の欠点を見て考案人は研究を重ねて新しく創作しようと努力して調味料入れの構造に対して充分な考えを与えてそれをより一層完全にしようと何回もの試作、実験を経てやっと当考案を完成したので新型考案の出願をしたわけである。
【０００５】
【考案が解決しようとする課題】
当考案の主な目的は一種の調味料入れの構造を提供することである。
【０００６】
【課題を解決するための手段】
それは一つの上缶および一つの下缶からなり、その上、下の缶は其々分離して独立できるものであるために違った調味料を詰め込むことができ；またその上缶は動物の頭部の造形に設計されて、下缶は動物の胴体の造形に設計されて、且下缶の頂きにおいて円弧の窪み溝を設けて上缶の底部を納めるようになり、一つの造形がさっぱりとして実用機能のもつ調味料入れに構成できる。
【０００７】
【考案の実施の形態】
次は再び当考案の改良した構造の特徴について図面とあわせる説明の方法で後に詳しく記述してご審査に提供いたします。
【０００８】
まず、第１から第３までの図面を参考しながら説明をご覧ください。当考案は一種の調味料入れの構造であり、それは一種の動物の造形にした調味料入れを上、下の缶に独立して分けて２種類の調味料を其々上、下、（１０、２０）に詰め込んで使用に供するもので、そして上、下（１０、２０）を組み合わせてたら一つの新しい動物の造形に変化でき、当考案では子クマのとの動物の造形にした調味料入れを以ってよりよい実施例として説明するが、それは実用性のある機能を持つだけでなく、また従来と違った風貌を兼ねて持つために従来のものより優れている。その特徴は：
【０００９】
上缶（１０）は子クマの頭部の造形になって、その頂きの予定された個所に一つの小さい孔（１１）が設けてあり、調味料がその小さい孔（１１）から振り出せて、上缶（１０）の底部に充填孔（１２）が設けてあり、且蓋（３０）によって密接に合わせることができる。
【００１０】
下缶（２０）は一つの子クマの胴体の造形になって、その頂きは円弧の窪み溝（２１）になって上缶（１０）の底部を納めることができ、且その円弧の窪み溝（２１）の底部に複数の貫通孔（２１１）が設けてあるために調味料が貫通孔（２１１）から振り出せて、また下缶（２０）の底部に充填孔（２２）が設けてあり、且蓋（３０）を設けて調味料を缶の底から詰め込むこともできる。
【００１１】
上、下の缶（１０、２０）を組み合わせることによって一つの精緻でかわいい子クマの造形にした調味料入れが構成できことだけではなく、更に二種類の違った調味料を詰め込むこともできるために美観且実用との二重機能が兼ねて存在する効果に達する。
【００１２】
以上は当考案の一種の調味料入れの構造における各パーツに関する構造、位置及び組み立ての方式などへの概要及び当考案によって達成可能な実施効果と使用特徴である。
【００１３】
唯、以上に延べらたものは当考案のよりよい実施可能な例に過ぎないので大凡当考案の説明書及び特許請求範囲を応用して造った、効果の同じような構造変化は当考案の技術範囲内に属されるべきである。
【００１４】
【考案の効果】
以上を纏めて見ると当考案によった構造の実施では確かに新しい創出並びに実際な効果の向上を持っているために新型考案の成立要旨に合ったのでご審査の上、合法な実用新案権利の成立をして頂ければ幸いに存じております。
【図面の簡単な説明】
【図１】当考案の構造の分解図
【図２】当考案の構造の組合せ図
【図３】当考案の構造の組合せの断面図
【符号の説明】
１０　上缶
１１　小さい孔
１２　充填孔
２０　下缶
２１　円弧の窪み溝
２１１　貫通孔
２２　充填孔
３０　蓋
【図１】
0003097336.tif 000003
【図２】
0003097336.tif 000004
【図３】
0003097336.tif 000005
(57)【要約】　　　（修正有）【課題】自動車の外窓より内部に入ってくる強い光と熱に依る光線を防ぐ為、簡単に着脱可能なる遮光カーテンを提供する。【解決手段】自動車のフロントガラス部及び後部座席窓を強力マグネットを組合せたる遮光カーテン７で被いフロントガラス端縁部及び後部席窓端縁部を上部下部に数個の強力マグネット６を配置し窓縁部とフロント縁部マグネットとカーテンのマグネットを組み合わせた。【選択図】図２
0003097338.tif 000002
【実用新案登録請求の範囲】
【請求項１】
（１）マグネット（強力のもの）使用により、カーテンを取付ける。
（２）内部より外を見る事が出来るレースカーテン布を使用する。
（３）カーテンの内がわは強力マグネットを、プラスチック棒内部に埋め込み、窓部に、取付けられる。
（４）プラスチックに、ミゾを付け、カーテンを通し開閉が自由に出来る。
【考案の詳細な説明】
（１）人体に有害な太陽光線をこの発案により予防出来る。
（２）後部座席の幼い子供や老人の目（白内障）光により病予防
（３）必要に対応して、カーテン開閉が自由に出来る。
（４）布地については、使用目的により選択する。
【図面の簡単な説明】
【図１】「〜を示した平面図である。
レースカーテン地、他、必要により布を選ぶ。
【図２】レースカーテンを通した後のフタとして使用する。
【図３】車上部金属部分に、このマグネットを取付ける。
【横面図】
【図４】軽くする為に、プラスチックを使用する。
【図５】現在市販されている、一般のカーテン布止め具使用する。
【図６】カーテン布地、なるべく軽い布使用する。
【図７】カーテンが、飛び出ない様に止め具使用する。
【図１】
0003097338.tif 000003
【図２】
0003097338.tif 000004
【図３】
0003097338.tif 000005
【手続補正書】
【提出日】平成14年7月15日(2002.7.15)
【手続補正１】
【補正対象書類名】明細書
【補正対象項目名】考案の詳細な説明
【補正方法】変更
【補正の内容】
0003097338.tif 000006
0003097338.tif 000007
【手続補正書】
【提出日】平成14年10月19日(2002.10.19)
【手続補正１】
【補正対象書類名】明細書
【補正対象項目名】全文
【補正方法】変更
【補正の内容】
【考案の詳細な説明】
0003097338.tif 000008
0003097338.tif 000009
0003097338.tif 000010
【手続補正書】
【提出日】平成15年4月8日(2003.4.8)
【手続補正１】
【補正対象書類名】明細書
【補正対象項目名】全文
【補正方法】変更
【補正の内容】
【考案の詳細な説明】
【実用新案登録請求の範囲】
【請求項１】自動車用のフロントガラス部及び後部席窓を強力マグネットを組合せたる遮光カーテンで被い　フロントガラス端縁部及び後部席窓端縁部を上部下部に数個の強力マグネットを配置し窓縁部とフロント縁部マグネットと　カーテンのマグネットを組合せたる自動車用遮光カーテン
【考案の詳細な説明】
【０００１】
自動車の外窓より内部に入ってくる強い光と熱に依る光線を防ぐ為簡単に着脱可能なる遮光カーテンを考案した．プラスチック棒内に強力マグネットを埋め込みプラスチック棒のマグネットと反対がわ下部にミゾを作りカーテンと組合わせた遮光カーテンである
フロント内部ガラス端縁部及び後部席窓ガラス端縁部に上下に数個の強力マグネットを配置しマグネットカーテンと組合わせて遮光するカーテンである　カーテンがフロント部はマグネットに依り倒れる心配が無い後部席窓部は　カーテンの開閉が自由である
布地は外部より内部の見えない布又内部より外部の見える布を選択する　又レース地和紙等好みに依り選択する上記構造の組合せに依り四季光線のまぶしさ強い熱をさえぎり幼子の体温上昇及び車内部の温度の上昇を防ぎ　老人の白内障予防となる
【図面の簡単な説明】
【図１】
0003097338.tif 000011
車フロント部の平面図であるフロントガラス端縁部の上部下部に強力マグネットを配置しマグネット遮光カーテンと組合す事に依りサンバイザーの目的を達成する
【符号の説明】
（１）バックミラー
（２）日除け
（３）強力マグネット
（４）フロントガラス
（５）ハンドル
【図２】
0003097338.tif 000012
車フロント用のカーテンの図である上の図はカーテン裏面図に強力マグネットを配置した図である
下の図はフロント部マグネットとカーテンと組合わせた時の表面図である
【符号の説明】
（１）フロント用強力マグネット
（２）フロント用遮光カーテン裏面
（３）フロント用遮光カーテン表面
【図３】
0003097338.tif 000013
この図は車後部座席窓用の図である
（１）（２）はプラスチック棒に強力マグネットを組合わせた図である
（３）（４）（５）はカーテンの平面図である
（６）（７）（８）は横より見た断面図である
（９）は窓にカーテンが組合わさっている図である（１０）は紐布
【符号の説明】
（１）プラスチック棒後部席窓用　　　（６）プラスチック棒後部席窓用
（２）強力マグネット　　〃　　　　　（７）強力マグネット　　〃
（３）表面カーテン布　　〃　　　　　（８）表面カーテン布　　〃
（４）強力マグネット　　〃　　　　　（９）カーテン止具　　　〃
（５）裏面カーテン布　　〃　　　　　（１０）カーテン用ヒモ　〃
【手続補正２】
【補正対象書類名】図面
【補正対象項目名】全図
【補正方法】変更
【補正の内容】
【図１】
0003097338.tif 000014
【図２】
0003097338.tif 000015
【図３】
0003097338.tif 000016
(57)【要約】　　　（修正有）【課題】犬や猫の毛を脱毛しモラルに欠ける人の為か道路の脇や公園の隅に放置されている事があり時折風に舞っている事があるそれらを解決するための動物の脱毛処理機の提供。【解決手段】脱毛用ブラシ１を回転し動物の脱毛をとるブラシから脱毛を剥ぎ取れる位置に粘着テープ２を脱毛ブラシの回転と同時に回し粘着テープに巻き込み粘着テープが終わるとテープ脱着体とともに処理する。【選択図】図１
0003097337.tif 000002
【実用新案登録請求の範囲】
【請求項１】
脱毛ブラシ体１を回転させブラシに付いてくる脱毛を剥ぎ取れる位置に粘着テープ２を通し脱毛ブラシ体１の回転と同時に歯車４にて粘着テープ脱着体５を回転させ脱毛を粘着テープ２が粘着テープ脱着体５に巻き込み脱着用止体６から容易に粘着テープ脱着体５を外す事の出来る装置。
【考案の詳細な説明】
【考案が解決しょうとする課題】
現在ペットブームで犬や猫の飼育が多い為かモラルに欠ける人が多いのか散歩していると犬や猫の毛を脱毛し道路脇や公園の隅に放置してある事を良く見かけ時より風に舞っている事がある粘着付きの動物脱毛処理機で動物の脱毛を処理する事によりその防止をする事が出来る。
【課題を解決するための手段】
上記の目的を達成する為に脱毛ブラシを回転させ脱毛を取る　脱毛を剥ぎ取れる位置に粘着テープをブラシと同時に回転させブラシに付いた脱毛を付着させ巻き取る。
【考案の効果】
動物の脱毛を回転ブラシで取り回転フラシに付着した脱毛を回転ブラシが回転すると同時に粘着テープも回転し脱毛を粘着テープに付着させ巻き込みテープが終わると容易に取り外すし処理する事が出来るそのため動物の脱毛による環境の悪化を防止する。
【図面の簡単な説明】
【図１】動物の脱毛処理機の斜面の断面図
【図２】動物の脱毛処理機の正面の断面図
【図３】動物の脱毛処理機の側面図
【図４】動物の脱毛処理機の着脱止具
【図５】粘着テープ脱着体の平面図
【符号の説明】
１　脱毛ブラシ体
２　粘着テープ
３　粘着テープ送りローラー
４　歯車
５　粘着テープ脱着体
６　脱着用止具
７　スプリング
８　逆回転防止具
９　動物の脱毛処理機
【図１】
0003097337.tif 000003
【図２】
0003097337.tif 000004
【図３】
0003097337.tif 000005
【図４】
0003097337.tif 000006
【図５】
0003097337.tif 000007
(57)【要約】　　　（修正有）【課題】歩行中や自転車で走行中に篭からバックの「ひったくり」に対して、被害者の身体やバックを護ることを目的とした防犯用バックを提供する。【解決手段】■バックの手提げ部又はショルダーの肩ひも１を本体から外れ易い構造とすること、■バック本体に紐２を付けて持ち去られるのを防ぐこと、■専用の腕バンドを付けてバックと一体とすること、の構成とする。【選択図】　図１
0003097332.tif 000002
【実用新案登録請求の範囲】
【請求項１】
バック本体Ａに取付ける手提げ部、又はショルダーバックの肩ひも（１）を、本体から容易に着脱できるように装着し、該バック本体Ａの側面に、先端にフック（３）の付いた螺旋状の伸縮可能なワイヤー（２）を固着する金具（４）を設けたことを特徴とした防犯用バック。
【請求項２】
腕時計バンド状の専用ベルトＢの一面にコ字状の金具（６）を倒伏自在に設け、該コ字状金具（６）にバッグＡから派出している螺旋状ワイヤー（２）の先端のフック（３）を係合一体としたことを特徴とした請求項１に記載の防犯用バック。
【考案の詳細な説明】
【０００１】
【考案の属する技術分野】
本考案は、歩行中や自転車で走行中に篭からバックの「ひったくり」に対して、被害者の身体やバックを護ることを目的とした防犯用バックに関する。
【０００２】
【従来の技術】
歩行中や自転車の篭からのバックの「ひったくり」は、バイクで来た犯人が、被害者とすれ違いざまの一瞬の間に手を伸ばして、バックの手提げ部や肩ひもをつかんで持ち去るものである。
【０００３】
【考案が解決しようとする課題】
この際に被害者がバック本体をおさえたりすると、バイクに引きずられて転倒し思わぬ怪我を負うことがあり、そのままバックも持ち去られるという被害を受ける。また自転車の篭からの「ひったくり」であっても、同様に自転車が転倒して怪我を負ったり、バックを持ち去られることとなる。
【０００４】
【課題が解決するための手段】
考案者は、この点に鑑み鋭意研究を続けた結果本考案にと到達したものであって、本考案は、▲１▼パックの手提げ部又はショルダーの肩ひもを本体から外れ易い構造とすること、▲２▼バック本体に紐を付けて持ち去られるのを防ぐこと、▲３▼専用の腕バンドを付けてバックと一体とすること、の構成とすることによって、「ひったくり」に逢ったとき、犯人は手提げ部又はショルダーの肩ひものみを握ったまま走り去るようにして「ひったくり」から身体とバックを守るようにしたものである。
【０００５】
【考案の実施の形態】
添付図面により本考案の防犯用バックを説明すると、図１は手提げ用のバックＡであって、イ図は正面図、ロ図は側面図を示している。図２はショルダー型のバックであって、イ図は正面図、ロ図は側面図である。
【０００６】
図において手提げ及びショルダーのひも（１）は、バックＡに対してホックボタンやマジックテープ（登録商標）等で簡単に取付け、取外しができるように装着する。
【０００７】
また図１，図２のロ図図示されているようにバック本体の側面にはワイヤー（２）の取付け金具（４）が設けられていて、この取付け金具（４）には螺旋状のワイヤー（２）が取付けられている。取付け金具（４）と螺旋状ワイヤー（２）の装着はフック状の金具によって装脱できるように取付けられている。また螺旋状のワイヤー（２）の先端には他所に取付け用のフックが設けられていて、腰ベルトや後記する専用バンド等に取付けるものである。
【０００８】
このバックＡの他に本考案においては専用の装着バンドＢを設ける。この装着バンドＢを図３に示す。図は、腕時計のバンド状のものであって、革製かナイロン又は布製の丈夫なもので成形されていて、バックル型の締付け具（１１）によって腕や手首等に捲着して固定する。
【０００９】
そして、この装着バンドＢには、前記バックの螺旋状のワイヤー（２）の先端に設けたフック（１）を取付けるためのコ字状の金具（６）を設けるものとする。このコ字状の係止金具（６）は前後に倒伏するように装着することによって、バンドＢを腕に着け、ワイヤー（２）を接続した際に邪魔にならないように配慮する。
【００１０】
本考案の防犯用バックＡは上記のように構成されているため、万一「ひったくり」に逢った場合には、手提げ部（１）又はショルダーの肩かけひも（１）は、犯人の引き取る力によってバック本体Ａから容易に外れてバック本体Ａは手許に残る。
【００１１】
又バックＡが衝撃で外に飛ばされても、ワイヤー（２）によって接続しているため被害者から離れないで手許に残ることとなる。
【００１２】
本考案において、バック本体Ａに設けるワイヤー固定金具（４）は、取りはずすことができて、普通のバックとして使用できることは勿論であり、また従来から使用されているバックにワイヤー固定金具（４）を取付けて防犯バックとすることができる。
【００１３】
【考案の効果】
上述のように本考案の防犯用バックは、手提げ部やショルダーの肩ひもがバック本体Ａから外れ易くなるため「ひったくり」の衝撃に対してすぐに外れてしまうため、被害者は力によって引張られて転倒して怪我を負うことなく、しかもバック本体Ａは伸縮する螺旋ワイヤーに接続しているため、落ちたりすることがないという防犯上街の「ひったくり」に対して絶大な効果を奏する。
【図面の簡単な説明】
【図１】（イ）図　手提げバックの正面図
（ロ）図　側面図
【図２】（イ）図　ショルダーバックの正面図
（ロ）図　側面図
【図３】専用腕バンド
【符号の説明】
（１）…バックの手提げ部又はショルダーバックの肩ひも
（２）…伸縮できる螺旋状のワイヤー
（３）…ワイヤー先端のフック
（４）…ワイヤー固着金具
（６）…専用バンド側のフック掛け金具
Ａ…バック本体
Ｂ…専用バンド
【図１】
0003097332.tif 000003
【図２】
0003097332.tif 000004
【図３】
0003097332.tif 000005
(57)【要約】　　　（修正有）【課題】バス、トイレ同室のバス・ユニットは３〜４ｍ２の面積にバスとトイレが設備されるため浴室内の湿気、飛び水、シャワーの水滴等に巻紙器の設置個所に水漏れの状態が起こり巻紙自体が水漏れで使用に耐えられなくなり関係者に連絡する等問題が起こりつつ、それが予防策は講じておりません。本考案は以上の条件より巻紙の保護のため現在使用の巻紙器及巻紙を変更することなく水漏れを防止するものである。【解決する手段】水漏れ防止のため巻紙を密弊された保管筒３に保管されたまま現有の巻紙器を使用して保管筒内の巻紙４を回転させて巻紙だけを取り出すものである。【選択図】　　図１
0003097339.tif 000002
【実用新案登録請求の範囲】
【請求項１】
表題の通り、家庭のトイレ、バスユニット、ホテル、旅館のトイレの掃除の際の巻紙の水漏れ防止について現使用中の巻紙器は同一室内で水使用の際、水漏れの防止のため巻紙を密閉された器に入れて巻紙を保護するために改良するものである。材料はポリエチレン製の容器を用い、水漏れを防止する器機で、器機本体は使用中のものでも利用可能である。
【考案の詳細な説明】
バス・ユニットの様に浴室とトイレ洗面を一室に設備された室内にあっては特に巻紙が水漏れの被害があるため、保管筒「図３、図４」の様に巻紙そのものを水に強い成型の自由のポリエチレンで容器を製作し、保管筒▲３▼を設けるもので使用要領は現有の巻紙器▲１▼に本考案に依る保管筒▲３▼を利用することで解決する。
保管筒▲３▼を利用するにつき「図３、図４」の如く使用済みのロールの紙芯を取り除き新しく巻紙▲４▼を「図３、図４」の通り保管筒▲３▼の蓋をとり保管筒▲３▼に入れて一端を取り出し口▲６▼に出しておく。
あとはそのまま今まで通り保管筒▲３▼と巻紙器▲１▼の下部から差込み使用する。湿気、シャワーの水滴、飛び水の水漏れを防止する。
【図面の簡単な説明】
【図１】考案申請中の巻紙保管筒の側面及正面図
【図２】現在使用中のトイレの巻紙器の姿図である
【図３】巻紙▲４▼を保管筒▲３▼に挿入した処の正面図である
【図４】巻紙▲４▼を保管筒▲３▼に挿入した処の側面図である
【符号の説明】
▲１▼　巻紙器本体（蓋の部分切断個所を示す）
▲３▼　巻紙の保管筒
▲４▼　巻紙ロール
▲５▼　巻紙器▲１▼の本体の芯棒（スプリングになる）
▲６▼　巻紙の切断個所
【図１】
0003097339.tif 000003
【図２】
0003097339.tif 000004
【図３】
0003097339.tif 000005
【図４】
0003097339.tif 000006
【手続補正書】
【提出日】平成14年9月18日(2002.9.18)
【手続補正１】
【補正対象書類名】明細書
【補正対象項目名】実用新案登録請求の範囲
【補正方法】変更
【補正の内容】
【実用新案登録請求の範囲】
【請求項１】
表題の通り、家庭のトイレ、バスユニット、ホテル、旅館のトイレの掃除の際の巻紙の水濡れ防止について現使用中の巻紙器は同一室内で水使用の際、水漏れの防止のため巻紙を密閉された器に入れて巻紙を保護するために改良するものである。材料はポリエチレン製の容器を用い、水濡れを防止する器機で、巻紙を全面的にポリエチレン製の容器の中に収納しその容器の上部から巻紙を引き出し使用するもので水濡れを防止する装置を有するバス・ユニットの巻紙器。
【手続補正書】
【提出日】平成14年12月24日(2002.12.24)
【手続補正１】
【補正対象書類名】明細書
【補正対象項目名】実用新案登録請求の範囲
【補正方法】変更
【補正の内容】
【実用新案登録請求の範囲】
【請求項１】
本考案の材料はポリエチレン製の容器を用い、水濡れを防止する器機で、巻紙を全面的にポリエチレン製の容器の中に収納しその容器の上部から巻紙を引き出し使用するもので水濡れを防止する装置を有するユニットバスの巻紙器。
【手続補正２】
【補正対象書類名】明細書
【補正対象項目名】考案の詳細な説明
【補正方法】変更
【補正の内容】
【考案の詳細な説明】
ポリエチレン製の円筒状の左右にその本体▲１▼と蓋▲１▼′とがあり、巻紙▲２▼はその中に収納されて円筒状▲１▼の上部の一部分に取出口▲５▼を作りその切込の部分から巻紙▲２▼を引っ張り出せる様に形造られた巻紙器▲１▼でユニットバスのシャワーの使用する際にシャワー水が巻紙器▲１▼に直接かかることがあってもポリエチレン製の円筒状の内部で巻紙▲２▼が回転され引っ張り出されるため巻紙▲２▼の水濡れはしない。巻紙▲２▼が使用され残りが無くなれば巻紙器▲１▼の蓋▲１▼′の部分のつまみ▲４▼を回転させて外し、新しい巻紙▲２▼を挿入し、取出口▲５▼から一端を引っ張り出して円筒状の蓋▲１▼′を閉め、適当な部分だけを紙きり部分▲６▼で切り使用する。


【手続補正３】
【補正対象書類名】明細書
【補正対象項目名】図面の簡単な説明
【補正方法】変更
【補正の内容】
【図面の簡単な説明】
【図１】巻紙器本体の説明図で正面図１／１と側面図１／１を表し、正面図の断面の通り、巻紙器本体の筒状断面を表し、筒状の底になる部分に巻紙▲２▼を挿入したときの回転の芯になる様に凸出した円筒▲７▼があり、反対側
0003097339.tif 000007
蓋の芯受▲７▼を両芯にして巻紙▲２▼が入れられて円筒内で回転する。枚に巻紙の先端を容器外に引き出して使用する。
【図２】上部に巻紙取出し口▲５▼があり、その部分に巻紙切断面▲６▼があり上に開けておいて取出口から巻紙の先端を引張り出し使用した後切断面▲６▼を下に降し、紙を切断する。切断面は取出口の開口から水が入ら
0003097339.tif 000008
【手続補正４】
【補正対象書類名】図面
【補正対象項目名】全図
【補正方法】変更
【補正の内容】
【図１】
0003097339.tif 000009
【図２】
0003097339.tif 000010
【手続補正書】
【提出日】平成15年5月10日(2003.5.10)
【手続補正１】
【補正対象書類名】明細書
【補正対象項目名】実用新案登録請求の範囲
【補正方法】変更
【補正の内容】
【実用新案登録請求の範囲】
【請求項１】
トイレツトペーパーの水濡れを防止する目的で、材料はポリエチレン製容器を用い巻紙を全面的に容器の中に収納し、その容器の上部の巻紙取出し口から引出し使用、後は蓋をすることで水濡れを防止する装置を持つ巻紙器。
(57)【要約】【課題】高出力のＬＥＤランプは、点灯時の発熱を放熱させるために熱伝導率の大きい金属材料で放熱する構造になっているため容易に着脱できる構造のソケットが望まれている。【解決手段】高出力ＬＥＤランプ用ソケットは、点灯時の放熱構造を保持したままで、セラミック容器内に高出力ＬＥＤランプと被覆線及び被覆線に抵抗をハンダ付けしたサブユニットを形成せしめた後、セラミック容器に挿入し、ベースピンと接合して形成することによって解決した。【選択図】　図１
0003097333.tif 000002
【実用新案登録請求の範囲】
【請求項１】
放熱翼（２）を多段に設けた放熱体（１）にランプホルダー（３）を一体として設け、該ランプホルダー（３）にＬＥＤソースＡを装着し、電流制限抵抗器（５）を取りつけ、リード線（４）を前記放熱体（１）内に挿通したことを特徴としたＬＥＤランプ。
【請求項２】
ランプホルダー（３）先端に椀状の反射鏡（１０）を装着したことを特徴とした請求項１に記載のＬＥＤランプ。
【請求項３】
ランプホルダー（３）の先端にレンズ（２０）を装着したことを特徴とした請求項１に記載のＬＥＤランプ。
【考案の詳細な説明】
【０００１】
【考案の属する技術分野】
本考案は高出力のＬＥＤランプであって、効率のよい放熱体を一体として設けたＬＥＤランプに関する。
【０００２】
【従来の技術】
従来、高出力のＬＥＤランプは点灯時に高熱を発するため、機器内に装填する場合、ＬＥＤの寿命や周囲に悪影響を及ぼすため熱伝導率の大きい金属を周囲に配して放熱を図り、機器の保護を目的としている。
【０００３】
【考案が解決しようとする課題】
このためＬＥＤランプの点灯時の高熱による劣化対策と、これに対しての取扱い操作を簡便にすることに留意し、生産性の向上と安全性を図ることを目的とした。
【０００４】
【課題を解決するための手段】
考案者は、この点に鑑み、先にいくつかの改良型のＬＥＤランプを開発して各方面で利用されている。しかし、ＬＥＤランプの性能が進むにつれて、高熱に対しての対策もさらに必要となり本考案に至ったものである。
【０００５】
本考案は放熱体として、アルミ製で放熱翼を多段に設けた放熱体を一体に装着することによって、ＬＥＤランプから放出される高熱に対して十分な保護対策に対応することができた。
【０００６】
またこのＬＥＤランプに反射鏡やレンズを装着することによって、更に照度の高いＬＥＤランプの性能を一層高度なものとして精密機器への装填に適し、機器への点検や保守を容易にした。
【０００７】
【考案の実施の形態】
添付図面により本考案の実施の形態を説明すると、図１は先端にＬＥＤソースＡを設けたＬＥＤランプの側面図であり、このＬＥＤソースＡの基部に放熱体（１）を配しており、このＬＥＤソースＡには電流制限抵抗器（５）を付した２本のリード線（６）が派出されていて、このリード線（６）を放熱体（１）内に挿入して本考案のＬＥＤランプが形成されている。
【０００８】
図３および図４は請求項２に示す反射鏡（１０）を設けたＬＥＤランプの側面図であって、図３は椀型の反射鏡（１０）をＬＥＤランプに取付ける分解図、図４は完成されたランプの側面図を示している。
【０００９】
また図５および図６は、請求項３に示すレンズ（２０）を設けたＬＥＤランプの側面図であって、図５はレンズ（２０）を取付ける分解図、図６は組立完成されたレンズ付きのＬＥＤランプの側面図を示している。
【００１０】
本考案のＬＥＤランプに使用されている放熱体（１）は放熱翼（２）が多段に設けてあるアルミ製であるため、ＬＥＤソースＡの点灯時にランプＡから発せられる高熱を、多段に設けた放熱翼（２）によって広く拡散できるものであって、取付け機器内の温度上昇を抑えることができて機器の破損や機能の低下を十分防ぐことが可能となった。
【００１１】
さらに本考案のＬＥＤランプは、反射鏡やレンズを装着させることによって一層の性能の向上が図れる。なお図中の符号（３）はＬＥＤソースＡを取付けるランプホルダーを示す。
【００１２】
【考案の効果】
上述のように本考案のＬＥＤランプはアルミ製の放熱翼を多段に、しかも大きく設けることによって、ランプの点灯中の高熱を十分に拡散させることが可能なため、取付け機器に対して安全に装填することができ、機器の点検・保安に十分貢献することが可能となった。
【図面の簡単な説明】
【図１】本考案のＬＥＤランプの側面図
【図２】ＬＥＤランプの内部構造図
【図３】反射鏡付のＬＥＤランプの分解図
【図４】反射鏡付のＬＥＤランプの側面図
【図５】レンズ付のＬＥＤランプの分解図
【図６】レンズ付のＬＥＤランプの側面図
【符号の説明】
（１）…放熱体
（２）…放熱翼
（３）…ランプホルダー
（５）…抵抗体
（６）…リード線
Ａ…ＬＥＤソース
【図１】
0003097333.tif 000003
【図２】
0003097333.tif 000004
【図３】
0003097333.tif 000005
【図４】
0003097333.tif 000006
【図５】
0003097333.tif 000007
【図６】
0003097333.tif 000008
(57)【要約】　　　（修正有）【課題】自己発光する道路標識を提供する。【解決手段】道路標識体１及び境界ブロック３、中央分離帯ポール４等の所要箇所に、所要形状に成型された発光材料Ｘを埋設してなる。【選択図】　　図１
0003097309.tif 000002
【実用新案登録請求の範囲】
【請求項１】
道路標識体（１）及び境界ブロック（３）、中央分離帯ポール（４）等の所要箇所に、所要形状に成型された発光材料（Ｘ）を埋設してなる道路用標識。
【考案の詳細な説明】
【０００１】
【考案の属する技術分野】
本考案は、道路用の標識に関するものである。
【０００２】
【従来の技術】
従来より、道路用標識として自動車等の進行方向を示す矢印状の反射誘導標識体がある。また、道路と歩道の境界ブロックに反射板プレートを接着したものがある。更に、道路の分岐点中央に設置された中央分離帯ポールに反射板プレートを接着したもの等がある。
【０００３】
【考案が解決しようとする課題】
ところで上述の各種反射道路標識体は、主として夜間における自動車ライトを反射することによって、その効果を高めることを主眼としている。
【０００４】
また、上述の各種反射標識体の素材として反射塗料や蛍光塗料、蓄光塗料、反射ビーズ等が用いられている。更には発光ダイオードや集合豆電球等も使用されている。
【０００５】
しかしながら、前記の反射塗料類は、主として自動車ライトの光を受けて反射する機能を有するが自己発光能力に欠けている。また、ダイオードや電球は絶え間ない電力の供給を必要とし、且つその設備を要する。
【０００６】
【課題を解決するための手段】
そこで本考案は、従来の各種道路標識体（１）の標識部（２）に、発光材料（Ｘ）を埋設してなるものである。この発光材料（Ｘ）は、太陽光や電灯などから放射される僅かな紫外線に触発されて、自らエネルギーを活性化させて発光するので、夜間でも極めて明るく長時間光り続ける。また、半永久的に使用できるものである。
従来の如く単に反射するのみでなく、自ら発光する機能を有するので、その標識能力を数倍に上げることが可能である。
【０００７】
【考案の実施の形態・実施例】
図１・図２に示すように、道路標識体（１）のほぼ中央に標識部（２）を埋設する。
また、図３に示すように、境界ブロック（３）の中央角部に標識部（２）を形状に合わせて埋設することもできる。また、図４に示すように、中央分離帯ポール（４）の中央に標識部（２）を形状に合わせて埋設することもできる。
なお本考案を、他の道路標識類（進入禁止・止まれ等）やバリケード、或るいは横断歩道やセンターライン等の区画線に応用実施することもできる。更に、道路沿いに立設する消火栓にも適用できる。
【０００８】
前述のように、道路標識体（１）及び境界ブロック（３）、中央分離帯ポール（４）等に埋設される標識部（２）は、所要形状に成型された発光材料（Ｘ）を用いるものである。
しかしてこの発光材料（Ｘ）は、アクリル、ＡＢＳ、ＰＰ、ＰＣなどの合成樹脂ペレットに、重量比１０パーセント程度の発光材（商品名ピカリコ）（着色可能）（ケミテック社製）を添加練り込んだものを成型してなるものである。
【０００９】
【考案の効果】
従来の反射標識体に対し、僅かな紫外線に触発されて自らエネルギーを活性化させて自己発光する標識部を有するので、夜間における交通安全や誘導を格段に向上させることができる。また電力やその設備も必要とせず、しかも半永久的に使用できる有益考案を提供するものである。
【図面の簡単な説明】
【図１】本考案道路用標識を示す正面図
【図２】本考案道路用標識のＡ−Ｂ線断面図
【図３】本考案境界ブロックを示す斜視図（一部透視図）
【図４】本考案中央分離帯ポールを示す斜視図（一部透視図）
【符号の説明】
１　　道路標識体
２　　標識部
３　　境界ブロック
４　　中央分離帯ポール
Ｘ　　発光材料
【図１】
0003097309.tif 000003
【図２】
0003097309.tif 000004
【図３】
0003097309.tif 000005
【図４】
0003097309.tif 000006
(57)【要約】　　　（修正有）【課題】最も身近な日常生活に即して健康体育の向上と実利の推進を図るベルトの提供。【解決手段】着用者の胴まわりの尾てい骨対向部位においてやや巾広く構成してベルトを完成せしめたものである。【選択図】　図１
0003097363.tif 000002
【実用新案登録請求の範囲】
【請求項１】
着用者の胴まわりの尾てい骨対向部位においてやや巾広く構成してなるベルト
【考案の詳細な説明】
【０００１】
【考案の属する技術分野】この考案は着衣に供用されるベルトの形状、構造に関するものである。
【０００２】
【従来の技術】既存の公知ベルトは単純に着衣の安定保持を図ることで目的を達しており、機能的に、或いは意匠的に多少の変化はあっても格別の考案的な創意は認められない。
【０００３】
【考案が解決しようとする課題】上記の視野において最も身近な日常生活に直結して男女を問わず身近な無意識的な課題として放置されているともいえるベルトに注目することは全人共通の課題として再確認するに値するものと信じて疑わない。
【０００４】
【課題を解決するための手段】上記に鑑み、本考案は着用者の胴まわりにおいて尾てい骨対向部位に従いやや広く構成して腰部の骨格に対応する安定性、一体感の強化を図り軽快なる行動を確保するものとする。
【０００５】
【本考案実施の形態】本考案実施の形態は以下図面について説明する。
【０００６】
【実施例】図面は本案ベルトの平面図である。
【０００７】
図面において１はベルト本体、Ａ−Ａ、Ａ−Ａは同上本体の巾寸法変化を示す。
【０００８】
【作用】本案は上記の構成において、これまでは前記のように本体１のＡ−Ａ巾寸法は当該ベルト全長の長短にかかわらず一定であり、作用、効果は部分的には何等の変化はないが、本案における尾てい骨対向部位は図示のようＡ−ＡとＡ′−Ａ′とは本体１の巾寸法を異にし、尾てい骨対向部位がやや巾広く構成してあるので着用者の腰部の骨格に加えられる安定性、一体感は強化されて軽快なる行動の確保が得られるものである。
【０００９】
かくの如く本案はスボーツ業界の首位を占める野球業界において閏係者の危険防止、被服の損傷防止等の改良、向上に怠ることなく注目し健全保健の実効発揚に期すること多大なるものありと自認して止まざるものである。
【図面の簡単な説明】
図面は本考案の平面図である。
【符号の説明】
１　ベルト本体
0003097363.tif 000003
【図１】
0003097363.tif 000004
(57)【要約】【課題】自動車の座席や、事務を執る者の椅子に乗せる座布団で、尾てい骨の痛くならない座布団を提供する。【解決手段】座布団は３つの部分に分かれ、左座布団と、右座布団が中に綿を持ち形成され、その両者を中間布が連結している。中間布は薄く、綿は無い。使用者が座ると、両尻部が、左座布団、右座布団に乗り、尾てい骨は中央の中間布の所へ来るので、尾てい骨は座席に接しないで浮く。この座布団を使うと、５時間でも６時間でも座っていても尾てい骨が痛くならない。特にタクシーの運転手等、職業的運転者や長距離ドライバー等には有用な考案である。【選択図】　図２
0003097370.tif 000002
【実用新案登録請求の範囲】
【請求項１】
四方形の左座布団と、四方形の右座布団を、薄い中間布で連結した尾てい骨の痛くならない座布団。
【考案の詳細な説明】
【０００１】
【考案の属する技術分野】
本考案は、尾てい骨の痛くならない座布団に関する。
【０００２】
【従来の技術】
自動車等の運転席等で、座席が固く、個人差はあるが尾てい骨が痛くなる人が多い。普通の座布団は、これを和らげることは出来ない。又、事務を執る人も長時間座っているので痛くなる。
【０００３】
【考案が解決しようとする課題】
本考案は、長時間座っていても、尾てい骨の痛くならない座布団を提供する。
【０００４】
【課題を解決するための手段】
本考案は、四方形の左座布団と、四方形の右座布団を、薄い中間布で連結した尾てい骨の痛くならない座布団に関する。
【０００５】
【考案の実施の形態】
座布団は、左座布団１と、右座布団２と、両者を連結する中間布３により構成される。
左座布団１は、中に綿を持ち形成され、右座布団２も中に綿を持ち形成される。両者の中間部は、布のみで形成されて綿はない。即ち、中間部は縦方向の谷を形成する。
この座布団に座ると、両尻部が右座布団と左座布団に乗り、尾てい骨は中央の中間部で浮いた状態となる。
これにより、尾てい骨は、座席に当たらず浮いている。中間部の横幅は４ｃｍ〜５ｃｍが適当である。
【０００６】
【考案の効果】
この座布団を使うと、５時間でも６時間でも同じ姿勢で座っていても尾てい骨が痛くならない。殊にタクシーの運転手等の職業的運転者等には極めて有用なものであり、又、事務所の事務を執る者にとっても極めて有用である。又、長距離運転をするドライバーにも極めて有用である。
【図面の簡単な説明】
【図１】平面図である。
【図２】正面図である。
【符号の説明】
１　左座布団
２　右座布団
３　中間布
【図１】
0003097370.tif 000003
【図２】
0003097370.tif 000004
(57)【要約】　　　（修正有）【課題】自転車運転中に両手をハンドルより離すことなく、また、視線移動を最小限に押さえ時刻を知りうる。【解決手段】腕時計サイズの時計部分と樹脂製もしくは化学繊維製のベルト状の布による固定部品を一体化し自転車ハンドルに取り付け可能とした。【選択図】　　図１
0003097367.tif 000002
【実用新案登録請求の範囲】
【請求項１】
腕時計サイズの時計部分と樹脂製もしくはベルクロ製固定部品にて自転車ハンドル部分に取り付け、安全に時刻を知りうる時計である。
【考案の詳細な説明】
【０００１】
【産業上の利用分野】
本考案は自転車運転時に安全かつ容易に時間を知りうる機器である。
【０００２】
【従来の技術】
従来、自転車運転時には腕に取り付けた時計を見ることにより時刻を把握していたが、この際には腕時計を装着した腕をハンドルから一旦放し、視線を装着したその時計に向け時間を読み取る必要があった。しかしながら、このような一連の行動は、安全な走行を保持するという点からははなはだ危険な行為であった。このような背景から自転車運転時に安全に時間を読み取れる機器が嘱望されていた。
【０００３】
【考案が解決しようとする課題】
本考案は上記に鑑み、自転車運転中に両手をハンドルより離すことなく、また、視線移動を最小限に押さえ時刻を知りうる手段および機器を提供するものである。
【０００４】
【課題を解決するための手段】本考案の自転車ハンドル取り付け用時計は、従来の腕時計サイズの時計部分を樹脂製もしくはベルクロテープ等の固定部品により自転車ハンドルの任意の位置に固定するものである。
【０００５】
【作用】
本考案の自転車ハンドル取り付け用時計は、自転車による通勤、通学者等の時刻確認に非常に有効な機器であり、かつ従来の腕時計に比較し非常に安全に現在時刻を知ることができる。
【０００６】
【実施例】
本考案を実施例により説明すると、図１に示すように、ハンドルの任意の位置に装着し、樹脂製固定部品もしくはベルクロテープにより固定するものである。なお、樹脂製部品による装着の場合は盗難予防のため六角キャップビス等を用いて固定することを推奨する。また、ベルクロテープでの固定の場合は、自転車から離れる際にはハンドルからはずすことにより盗難の予防ができる。
【０００７】
このようにして成る本考案の自転車ハンドル取り付け用時計は、故障予防の観点から生活防水型以上の耐水性をもつ時計が実用上推奨される。
【０００８】
【図面の簡単な説明】
【図１】本考案の自転車ハンドル取り付け用時計（樹脂固定タイプをハンドルに装着した場合の実施例である。
【図２】本考案の自転車ハンドル取り付け用時計（樹脂固定タイプ）を斜め横から見た例である。
【図３】本考案の自転車ハンドル取り付け用時計（ベルクロ固定タイプ）を正面方向から見た場合の例である。
【符号の説明】
１　時計本体部分
２　ハンドル固定用樹脂製部品
【図１】
0003097367.tif 000003
【図２】
0003097367.tif 000004
【図３】
0003097367.tif 000005
【手続補正書】
【提出日】平成15年6月4日(2003.6.4)
【手続補正１】
【補正対象書類名】明細書
【補正対象項目名】全文
【補正方法】変更
【補正の内容】
【考案の詳細な説明】
【実用新案登録請求の範囲】
【請求項１】腕時計サイズの時計部分と樹脂製もしくは化学繊維製のベルト状の布による固定部品にて自転車ハンドル部分に取り付け、安全に時刻を知りうる時計である。
【考案の詳細な説明】
【０００１】
【産業上の利用分野】
本考案は自転車運転時に安全かつ容易に時間を知りうる機器である。
【０００２】
【従来の技術】
従来、自転車運転時には腕に取り付けた時計を見ることにより時刻を把握していたが、この際には腕時計を装着した腕をハンドルから一旦放し、視線を装着したその時計に向け時間を読み取る必要があった。しかしながら、このような一連の行動は、安全な走行を保持するという点からははなはだ危険な行為であった。このような背景から自転車運転時に安全に時間を読み取れる機器が嘱望されていた。
【０００３】
【考案が解決しようとする課題】
本考案は上記に鑑み、自転車運転中に両手をハンドルより離すことなく、また、視線移動を最小限に押さえ時刻を知りうる手段および機器を提供するものである。
【０００４】
【課題を解決するための手段】本考案の自転車ハンドル取り付け用時計は、従来の腕時計サイズの時計部分を樹脂製もしくは化学繊維製のベルト状の布テープ等の固定部品により自転車ハンドルの任意の位置に固定するものである。
【０００５】
【作用】
本考案の自転車ハンドル取り付け用時計は、自転車による通勤、通学者等の時刻確認に非常に有効な機器であり、かつ従来の腕時計に比較し非常に安全に現在時刻を知ることができる。
【０００６】
【実施例】
本考案を実施例により説明すると、図１に示すように、ハンドルの任意の位置に装着し、樹脂製固定部品もしくは化学繊維製のベルト状の布テープにより固定するものである。なお、樹脂製部品による装着の場合は盗難予防のため六角キャップビス等を用いて固定することを推奨する。また、化学繊維製のベルト状の布テープでの固定の場合は、自転車から離れる際にはハンドルからはずすことにより盗難の予防ができる。
【０００７】
このようにして成る本考案の自転車ハンドル取り付け用時計は、故障予防の観点から生活防水型以上の耐水性をもつ時計が実用上推奨される。
【０００８】
【図面の簡単な説明】
【図１】本考案の自転車ハンドル取り付け用時計（樹脂固定タイプをハンドルに装着した場合の実施例である。）
【図２】本考案の自転車ハンドル取り付け用時計（樹脂固定タイプ）を斜め横から見た例である。
【図３】本考案の自転車ハンドル取り付け用時計（化学繊維製のベルト状の布固定タイプ）を正面方向から見た場合の例である。
【符号の説明】
１　時計本体部分
２　ハンドル固定用樹脂製部品
(57)【要約】【課題】伸縮性のできる等身大ハンガーがなかったので、鏡の前でハンガーにかかったままの洋服を自分に当ててみたり、着たり脱いだりしてしていたが時間の無駄がありなかなか自分に合ったコーディネートができなかった。【解決手段】胴部４、５と二股の脚部８、９からなる形状の等身大本体１に肩部位置と腰部位置にハンガー２、６を設け本体１で高さを調整し、肩部と腰部のハンガー２、６を上下に段階調整することで撫で肩、怒り肩、腰位置も自分の体型に近づけられ、ハンガー２、６についたカバー２Ｂ、６Ｂをスライドさせることにより、肩幅や腰幅も自分の体型に合わせた等身大ハンガーを自分自身に見立てて洋服を着せることにより、着たり脱いだりする時間の無駄もなく客観的に自分を見ることができる上楽しみながらコーディネートができる。【選択図】　　図１
0003097364.tif 000002
【実用新案登録請求の範囲】
【請求項１】
胴部と二股の脚部からなる形状の等身大本体の肩部位置に設けた肩部ハンガーと腰部位置に設けた腰部ハンガーとからなり、前記両ハンガー及び本体は高さ調整自在に構成したことを特徴とする等身大ハンガー。
【考案の詳細な説明】
【０００１】
【考案の属する技術分野】
本考案は、肩部位置と腰部位置とにハンガーをつけ伸縮自在にした等身大ハンガーである。
【０００２】
【従来の技術】
従来、自分の体系に合わせられる伸縮性の等身大のハンガーがなかった。
【０００３】
【考案が解決しようとする課題】
高さ調整のできる等身大のハンガーがなかったので、鏡を見て洋服を着たり脱いだりしてコーディネートしていたが、時間的にも無駄がありなかなか自分にあったコーディネートができなかった
【０００４】
【課題を解決するための手段】
本考案は、胴部と二股の脚部とからなる形状の等身大本体に肩部位置と腰部位置にハンガーを設け等身大本体で高さを調整し、肩部と腰部のハンガーを上下に段階調整することで撫で肩、怒り肩、腰位置も自分の体型に近づけられ、ハンガーについたカバーをスライドさせることにより肩幅も合わせられるようにした。
【０００５】
【実施例】
図に示すようにキャスター１１付きの楕円形の台１０に二股にわけられた脚部８を固定して胴部４、５を支柱にし本体１を高さ調整し等身大のハンガーを作る。
【０００６】
本体１の肩部位置に設けた肩部ハンガー２を肩幅として図２に示すカバー２Ｂをスライドして自分の肩幅に合わせる。胴部４の肩部ハンガー２接続部分を上下調整し肩下がりを合わせる。
【０００７】
腰部ハンガー６も肩部ハンガー２と同様にカバーをスライドして調整し腰幅を出す。
【０００８】
肩部ハンガー２と腰部ハンガー６とについた支え３と支え７はハンガーの支えにもなるが胸と腰の厚みを出す役割もしている。
【０００９】
図３に示す頭部１２の首部１３を本体１に重ねることで全身のコーディネートができる。
【００１０】
台１０のキャスター１１で移動も簡単である。
【００１１】
肩部ハンガー２と腰部ハンガー６は支え３、７をはずすことにより下方に下げることができるので、使わないときは邪魔にならない。胴部分４と５、脚部分８と９、脚部分９と台１０は取り外せるので収納時にも場所をとらない。
【考案の効果】
本考案に係る等身大ハンガーは、本体を伸縮することにより自分の身長に合わせることができる。肩部、腰部のハンガーも上下調整とスライドすることにより肩幅と腰幅を自分の体型に近づけることで等身大ハンガーを自分に見立てて洋服を着せて、客観的に自分を見ることができコーディネートが簡単にできる。股を付けてズボンもはけるようにして人体に近い等身大ハンガーにした。収納時もそれぞれ取り外しできるので場所もとらない。ハンガー型にすることにより安く購入でき実用性にも優れている。
【図面の簡単な説明】
【図１】本考案に係る等身大ハンガーの正面図である。
【図２】本考案の係る等身大ハンガーのカバーをスライドした要部正面図である。
【図３】本考案の係る等身大ハンガーの頭部の正面図である。
【符号の説明】
１　　　本体
２　　　肩部ハンガー
２Ｂ　　肩部ハンガーのカバー
３　　　肩部ハンガー支え
６　　　腰部ハンガー
６Ｂ　　腰部ハンガーのカバー
７　　　腰部ハンガー支え
８　　　脚部
１０　　台
１１　　キャスター
１２　　頭部
【図１】
0003097364.tif 000003
【図２】
0003097364.tif 000004
【図３】
0003097364.tif 000005
(57)【要約】　　　（修正有）【課題】資源収集車（車載型生ごみ処理装置）の攪拌加工ドラムに投入された生ごみと微生物の混合物を短時間（高速）に醗酵させる熱源の開発。【解決手段】資源収集車（車載型生ごみ処理装置）１の攪拌加工ドラム２に投入された生ごみと微生物の混合物に、バーナー３の熱を噴射させることにより、熱が生ごみと微生物の混合物の内部まで短時間に伝達されるようにして、生ごみを短時間（高速）に醗酵処理させる。【選択図】　図２
0003097347.tif 000002
【実用新案登録請求の範囲】
【請求項１】
攪拌加工ドラムに投入された生ごみに微生物を混合させて醗酵処理をする際、バーナーの熱を噴射させることを特徴とする車載型生ごみ処理装置（資源収集車）。
【考案の詳細な説明】
【０００１】
【考案の属する技術分野】
本考案は資源収集車（車載型生ごみ処理装置）で生ごみと微生物の混合物を醗酵させるための熱源に関するものである。
【０００２】
【従来の技術】
資源収集車で生ごみを１次醗酵させる場合の熱源に関しては、これまで温風機を利用する方式として（「公開番号」特開平１０−３４１１７）、エンジンの排ガスの熱を利用して醗酵槽を加熱する方式として（特許公開２００２−２１１９９５）などがある。
これらの方式では熱源の発熱量が小さく、生ごみと微生物の混合物を短時間（高速）に醗酵処理（２〜３時間）するのに対応できないという欠点があった。
【０００３】
【考案が解決しようとする課題】
資源収集車（車載型生ごみ処理装置）の攪拌加工ドラムに投入された生ごみと微生物の混合物を短時間（高速）に醗酵させるため、１次醗酵ドラムに熱源としてバーナーを取り付け、ここから発生する熱を生ごみと微生物の混合物に噴射して、生ごみを短時間に醗酵させる。
【０００４】
【課題を解決するための手段】
上記の課題を解決するために、本考案の「請求項１」は資源収集車（車載型生ごみ処理装置）の攪拌加工ドラムに投入された生ごみと微生物の混合物に、熱源として取り付けられたバーナーから熱を噴射させることにより、熱が生ごみと微生物の混合物の内部まで入り込むようにして、生ごみを短時間（高速）に醗酵処理させることを特徴とする。
【０００５】
【考案の実施の形態】
以下では本考案の実施の形態について説明する。
図１並びに図２は本考案の一例を示すもので、資源収集車に取り付けられた本装置の概略図である。
図において、資源収集車（車載型生ごみ処理装置）１の攪拌加工ドラム２に生ごみの投入口５より投入された生ごみと微生物の混合物を、ドラムの攪拌空間に設けられたプロペラ（動力源４により駆動）により移動させながら混合を繰り返す途中にバーナーの噴射ノズル３から熱を噴射させて生ごみを短時間（高速）に醗酵処理させる。
【０００６】
【考案の効果】
請求項１に記載の考案により、攪拌加工ドラム中の生ごみと微生物の混合物の内部温度が従来の方式より短時間に微生物の活動可能な温度まで上昇させる効果がある。
【図面の簡単な説明】
【図１】バーナーの取り付けられた資源収集車を後部より見た図
【図２】バーナーの取り付けられた資源収集車を側面より見た図
【符号の説明】
１．資源収集車（車載型生ごみ処理装置）
２．攪拌加工ドラム
３．バーナー（熱源）の噴射ノズル
４．攪拌加工ドラムの動力源
５．生ごみの投入口
６．醗酵処理物の排出口
【図１】
0003097347.tif 000003
【図２】
0003097347.tif 000004
【手続補正書】
【提出日】平成15年3月17日(2003.3.17)
【手続補正１】
【補正対象書類名】明細書
【補正対象項目名】実用新案登録請求の範囲
【補正方法】変更
【補正の内容】
【実用新案登録請求の範囲】
【請求項１】
攪拌加工ドラムにバーナーの噴射ノズルを設けた車載型生ごみ処理装置において、投入された生ごみに微生物を混合させて醗酵処理をする際、バーナーの熱を噴射させることを特徴とする車載型生ごみ処理装置。